【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
情報データを入力する入力手段と、
前記入力された情報データを蓄積するメモリと、
前記メモリに蓄積された情報データを予め定めた期間毎に読み出し、前記メモリから読み出された情報データを複数の記録層を有するディスク状記録媒体に間欠的に書き込む書き込み手段と、
前記書き込み手段によるディスク状記録媒体上の書き込み位置と前記ディスク状記録媒体において記録層を移行すべき位置との差が予め定めた値になったことに応じて、前記書き込み手段による書き込み周期を短くする制御手段とを備えることを特徴とする記録装置。
【請求項２】
前記制御手段は、前記書き込み手段によるディスク状記録媒体上の書き込み位置が前記ディスク状記録媒体において記録層を移行すべき位置よりも前記予め定めた値だけ前の位置に達したことを検出すると、当該書き込み位置が前記予め定めた値だけ前の位置に達する前に比べて前記書き込み手段による書き込み周期を短くすることを特徴とする請求項１記載の記録装置。
【請求項３】
情報データを入力する入力手段と、
前記入力された情報データを蓄積するメモリと、
前記メモリに対して規定量の前記情報データが蓄積されたことに応じて、前記メモリより前記情報データを読み出し、前記メモリから読み出された情報データを複数の記録層を有するディスク状記録媒体に書き込む書き込み手段と、
前記書き込み手段によるディスク状記録媒体上の書き込み位置と前記ディスク状記録媒体において記録層を移行すべき位置との差が予め定めた値になったことに応じて、前記規定量を少なくする制御手段とを備えることを特徴とする記録装置。
【請求項４】
前記制御手段は、前記書き込み手段によるディスク状記録媒体上の書き込み位置が前記ディスク状記録媒体において記録層を移行すべき位置よりも前記予め定めた値だけ前の位置に達したことを検出すると、当該書き込み位置が前記予め定めた値だけ前の位置に達する前に比べて前記規定量を少なくすることを特徴とする請求項３記載の記録装置。
【請求項５】
前記書き込み手段は、前記メモリに残された情報データが無くなったことに応じて、前記メモリからの情報データの読み出しを停止して前記ディスク状記録媒体に対する前記情報データの書き込みを停止することを特徴とする請求項４記載の記録装置。
【請求項６】
前記メモリの記憶容量は、前記書き込み手段による書き込み位置が前記記録層を移行すべき位置に達する前の前記規定量よりも大きいことを特徴とする請求項３から５の何れか１項記載の記録装置。
【請求項７】
前記書き込み手段は前記書き込み位置が前記記録層を移行すべき位置に達したことに応じて前記ディスク状記録媒体における記録層の切り替え処理を実行し、
前記制御手段は、前記書き込み手段による書き込み位置が前記記録層を移行すべき位置に達したことに応じて前記書き込み手段による前記メモリからの情報データの読み出しを停止して前記ディスク状記録媒体に対する前記情報データの書き込みを停止し、前記書き込み手段の記録層切り替え処理が完了したことに応じて前記書き込み手段による前記メモリからの情報データの読み出しを開始して前記ディスク状記録媒体に対する前記情報データの書き込みを開始することを特徴とする請求項１から６の何れか１項記載の記録装置。
【請求項８】
情報データを入力する入力工程と、
前記入力された情報データをメモリに蓄積する蓄積工程と、
前記メモリに蓄積された情報データを予め定めた期間毎に読み出し、前記メモリから読み出された情報データを複数の記録層を有するディスク状記録媒体に間欠的に書き込む書き込み工程と、
前記書き込み工程によるディスク状記録媒体上の書き込み位置と前記ディスク状記録媒体において記録層を移行すべき位置との差が予め定めた値になったことに応じて、前記書き込み手段による書き込み周期を短くする制御工程と、を備えることを特徴とする記録方法。
【請求項９】
情報データを入力する入力工程と、
前記入力された情報データをメモリに蓄積する蓄積工程と、
前記メモリに対して規定量の前記情報データが蓄積されたことに応じて、前記メモリより前記情報データを読み出し、前記メモリから読み出された情報データを複数の記録層を有するディスク状記録媒体に書き込む書き込み工程と、
前記書き込み工程によるディスク状記録媒体上の書き込み位置と前記ディスク状記録媒体において記録層を移行すべき位置との差が予め定めた値になったことに応じて、前記規定量を少なくする制御工程と、を備えることを特徴とする記録方法。
【手続補正２】
【補正対象書類名】明細書
【補正対象項目名】発明の名称
【補正方法】変更
【補正の内容】
【発明の名称】記録装置および記録方法
【手続補正３】
【補正対象書類名】明細書
【補正対象項目名】０００１
【補正方法】変更
【補正の内容】
【０００１】
本発明は、ディスク状の記録媒体に対して画像データなどの情報データを記録する記録装置および記録方法に関する。
【手続補正４】
【補正対象書類名】明細書
【補正対象項目名】０００７
【補正方法】変更
【補正の内容】
【０００７】
上記の目的を達成するために、本発明の実施形態においては、情報データを入力する入力手段と、
前記入力された情報データを蓄積するメモリと、
前記メモリに蓄積された情報データを予め定めた期間毎に読み出し、前記メモリから読み出された情報データを複数の記録層を有するディスク状記録媒体に間欠的に書き込む書き込み手段と、
前記書き込み手段によるディスク状記録媒体上の書き込み位置と前記ディスク状記録媒体において記録層を移行すべき位置との差が予め定めた値になったことに応じて、前記書き込み手段による書き込み周期を短くする制御手段と、を備える記録装置を提供する。
【手続補正５】
【補正対象書類名】明細書
【補正対象項目名】０００８
【補正方法】変更
【補正の内容】
【０００８】
本発明の他の実施形態においては、情報データを入力する入力工程と、
前記入力された情報データをメモリに蓄積する蓄積工程と、
前記メモリに蓄積された情報データを予め定めた期間毎に読み出し、前記メモリから読み出された情報データを複数の記録層を有するディスク状記録媒体に間欠的に書き込む書き込み工程と、
前記書き込み工程によるディスク状記録媒体上の書き込み位置と前記ディスク状記録媒体において記録層を移行すべき位置との差が予め定めた値になったことに応じて、前記書き込み手段による書き込み周期を短くする制御工程と、を備える記録方法を提供する。
【手続補正６】
【補正対象書類名】明細書
【補正対象項目名】０００９
【補正方法】変更
【補正の内容】
【０００９】
本発明のさらに他の実施形態においては、情報データを入力する入力手段と、
前記入力された情報データを蓄積するメモリと、
前記メモリに対して規定量の前記情報データが蓄積されたことに応じて、前記メモリより前記情報データを読み出し、前記メモリから読み出された情報データを複数の記録層を有するディスク状記録媒体に書き込む書き込み手段と、
前記書き込み手段によるディスク状記録媒体上の書き込み位置と前記ディスク状記録媒体において記録層を移行すべき位置との差が予め定めた値になったことに応じて、前記規定量を少なくする制御手段と、を備える記録装置を提供する。
【手続補正７】
【補正対象書類名】明細書
【補正対象項目名】００１０
【補正方法】変更
【補正の内容】
【００１０】
本発明のさらに他の実施形態においては、情報データを入力する入力工程と、
前記入力された情報データをメモリに蓄積する蓄積工程と、
前記メモリに対して規定量の前記情報データが蓄積されたことに応じて、前記メモリより前記情報データを読み出し、前記メモリから読み出された情報データを複数の記録層を有するディスク状記録媒体に書き込む書き込み工程と、
前記書き込み工程によるディスク状記録媒体上の書き込み位置と前記ディスク状記録媒体において記録層を移行すべき位置との差が予め定めた値になったことに応じて、前記規定量を少なくする制御工程と、を備える記録方法を提供する。